(57)【要約】【課題】表示領域と遊技領域の両方の拡大を図るとともに遊技者に対して表示を見づらくさせることのないパチンコ遊技機を提供すること。【解決手段】パチンコ遊技機は、遊技盤１から前方へ離れた位置であって遊技領域４，５を確保可能な位置に、透視性を有する板状の表示手段７を設け、遊技領域５を転動する遊技球１００を透視可能にする。【選択図】図１
2005198888.tif 000002
【特許請求の範囲】
【請求項１】
遊技盤から前方へ離れた位置であって遊技領域を確保可能な位置に、透視性を有する板状の表示手段を設け、遊技領域を転動する遊技球を透視可能にしたことを特徴とするパチンコ遊技機。
【請求項２】
前記表示手段の裏面側に透明保護板を設けたことを特徴とする請求項１記載のパチンコ遊技機。
【請求項３】
少なくとも前記表示手段を着脱可能に保持部材で保持することを特徴とする請求項１又は２記載のパチンコ遊技機。
【発明の詳細な説明】
【技術分野】
【０００１】
本発明は、拡大した表示領域及び遊技領域を有するパチンコ遊技機に関する。
【背景技術】
【０００２】
近年、パチンコ遊技機の遊技盤の中央部に配され、リーチ演出、大当たり演出などを行なう表示手段の表示領域を拡大化することが望まれている。しかし、単に表示領域を拡大化すると、釘、風車、入賞口などが設けられ遊技球に複雑な落下運動をさせながら入賞口又はアウト口へ誘導する遊技領域が縮小化されることとなる。そこで、表示領域及び遊技領域の両方の拡大化を図るためのパチンコ遊技機として、遊技盤中央部の表示手段の前面に透明板を配し、この透明板に釘等の案内部材を設けることにより、表示領域と遊技領域の両方を兼ねる領域を形成するようにしたパチンコ遊技機が提案されている（例えば、特許文献１参照）。
【特許文献１】特開平１０−２７２２３１号公報
【発明の開示】
【発明が解決しようとする課題】
【０００３】
しかし、上記従来技術によると、表示領域に設けられた釘等の案内部材や表示領域を通過する遊技球によって表示手段による表示が遮られ、遊技者にとって表示が見づらくなるという問題がある。
【０００４】
本発明は、上記のような従来技術の問題点を解決し、表示領域と遊技領域の両方の拡大を図るとともに遊技者に対して表示を見づらくさせることのないパチンコ遊技機を提供することを目的とする。
【課題を解決するための手段】
【０００５】
本発明のパチンコ遊技機は、遊技盤から前方へ離れた位置であって遊技領域を確保可能な位置に、透視性を有する板状の表示手段を設け、遊技領域を転動する遊技球を透視可能にしたことを特徴とする。
【０００６】
本発明のパチンコ遊技機によると、遊技領域の前方に透視性を有する表示手段を設けたため、遊技領域を拡大させることができるとともに、表示領域を拡大させることができる。また、表示手段が遊技領域の前方つまり表示手段が遊技領域よりも遊技者寄りに配されるため、釘等の案内部材や通過する遊技球によって表示手段による表示が遮られることがなくなり、遊技者にとって表示が見づらくなる不具合が発生しなくなる。また、表示手段は透視性を有しているため、遊技者は、遊技領域の全景及び遊技球の動きを視認可能であり、遊技の興趣が損なわれることはない。
【０００７】
前記表示手段の裏面側に透明保護板を設けることにより、透明保護板によって表示手段が遊技球から保護されるようになる。
【０００８】
少なくとも前記表示手段を着脱可能に保持部材で保持することにより、パチンコ遊技機の交換時、旧機種のパチンコ遊技機に使用されていた表示手段を、新機種のパチンコ遊技機にそのまま継続して使用することができる。
【発明を実施するための最良の形態】
【０００９】
以下、本発明の実施形態を図面に基づいて説明する。
【００１０】
図１は、本発明の一実施形態に係るパチンコ遊技機の要部分解斜視図、図２は、同要部の正面図、図３は、同要部の一部の断面図、図４及び図５は、ガラス枠に表示手段を組み付ける方法を説明するための斜視図、図６は、他の実施形態に係るパチンコ遊技機の要部の正面図、図７は、同要部の分解斜視図、図８は、さらに他の実施形態に係るパチンコ遊技機の要部の正面図、図９は、同要部の分解斜視図をそれぞれ示す。
【００１１】
図１〜図５において、本実施形態に係るパチンコ遊技機の遊技盤１は、通常の遊技盤と同様、盤面上に釘などの案内部材２や入賞口３を有する遊技領域４が形成されているとともに、通常の遊技盤ではその中央部に表示手段が組み込まれて表示領域となる領域（図１において二点鎖線で囲んだ領域）をも遊技領域５として利用している。つまり、従来の表示領域は、釘などの案内部材２や入賞口３が設けられた遊技領域５に切替えられており、遊技球１００はこの遊技領域５を通過可能である。
【００１２】
遊技盤１の前方には、遊技領域４，５へ発射された遊技球１００の落下動作を妨げることのない間隔を空けて透明保護板６Ａが配される。透明保護板６Ａは、例えばアクリル板からなる。さらに、表示手段７の前面にも、透明保護板６Ｂが設けられる。
【００１３】
透明保護板６Ａの前方には、板状の表示手段（表示パネル）７が配される。表示手段７は、透視性を有しており、例えばＥＬ（エレクトロルミネッセンス）パネルからなる。表示手段７は、フレキシブル配線８を介して電気的に接続される表示制御基板９によって制御され、通常の遊技盤１中央部に設けられる表示手段と同様、リーチ演出、大当たり演出などの各種演出を行なうことが可能である。
【００１４】
表示手段７の表示内容としては、下記i)〜iv)をあげることができる。
【００１５】
i)通常時はほぼ中央に図柄表示領域を表示させ、リーチ状態が発生すると、図柄表示領域を表示手段７全体に拡大してリーチ演出を行なうようにする。
【００１６】
ii)大当たり中や客待ちモード中は、図柄表示領域を表示する必要がないため、表示手段７全体を使って演出表示をする。
【００１７】
iii)遊技者にとって有利な遊技モードである確変モードや時短モード中は、図柄表示領域以外の表示手段７の色を変更するようにする（例えば、確変モード中は赤、時短モード中は青）。このとき、図柄表示領域以外の表示手段７において、遊技領域を転動する遊技球を透視可能な透視性を有する色にて表示を行なう。また、残りの時短回数等を表示したり、電動チューリップが開くタイミングを表示する（電動チューリップが開く３秒前からカウントダウン表示を行なう）こともできる。
【００１８】
iv)「右打ちしてください！」等の遊技方法に係る表示を行なう。
【００１９】
表示手段７は、図４及び図５に示すように、保持部材例えば、遊技盤の前方に配されるガラス板を保持する既存のガラス枠１０によって保持される。透明保護板６Ａ，６Ｂも、保持部材１０によって保持される。
【００２０】
以上説明したように、本実施形態のパチンコ遊技機は、遊技盤１から前方へ離れた位置であって遊技領域４，５を確保可能な位置に、透視性を有する板状の表示手段７を設け、遊技領域５を転動する遊技球１００を透視可能にした。
【００２１】
このパチンコ遊技機によると、表示領域を遊技領域５に切替えたため遊技領域４，５が拡大するとともに、透視性を有する表示手段７により表示領域が拡大する。また、表示手段７が遊技領域４，５の前方つまり表示手段７が遊技領域４，５よりも遊技者寄りに配されるため、釘等の案内部材２や通過する遊技球１００によって表示手段７による表示が遮られることがなくなり、遊技者にとって表示が見づらくなる不具合が発生しなくなる。また、表示手段７は透視性を有しているため、遊技者は、遊技領域４，５の全景及び遊技球１００の動きを視認可能であり、遊技の興趣が損なわれることはない。
【００２２】
また、表示手段７の裏面側に透明保護板６Ａを設けることにより、透明保護板６Ａによって表示手段７が遊技球１００から保護されるようになる。
【００２３】
また、少なくとも表示手段７を開閉自在な保持部材１０で着脱可能に保持することにより、パチンコ遊技機の交換時、旧機種のパチンコ遊技機に使用されていた表示手段７を、新機種のパチンコ遊技機にそのまま継続して使用することができる。また、保持部材１０として既存のガラス枠を利用することが可能である。
【００２４】
図６及び図７において、他の実施形態に係るパチンコ遊技機は、表示手段７において、遊技者の発射動作に係る情報を表示することを特徴としている。例えば、入賞が有効となる入賞口が切り替わるパチンコ遊技機において、所定条件を満たすことにより入賞が有効である入賞口をナビゲーション表示することができる。具体的には、表示手段７は、特定の入賞口３Ａを囲むようにマーク７１を表示するとともに、この入賞口３Ａに遊技球を入賞させるための遊技球のルートを矢印７２で表示し、さらに、「このルートで入賞させてください」という案内を文字７３で表示し、発射動作において狙う箇所を表示する。遊技者は、この発射動作に係る情報７１，７２，７３に従って発射動作を行うことで、この特定の入賞口３Ａに遊技球を入賞させ易くなるという利益を受けることができる。
【００２５】
図８及び図９において、さらに他の実施形態に係るパチンコ遊技機は、図６及び図７図示の実施形態と同様、表示手段７において、遊技者の発射動作に係る情報を表示することを特徴としている。例えば、第３種パチンコ遊技機において、大当たりの権利を獲得したときに右打ちをさせるように遊技手順を表示することができる。具体的には、表示手段７は、特定の入賞口３Ｂを囲むようにマーク７４を表示するとともに、「ここを狙え！」という案内を文字７５で表示し、さらに右上部位に矢印７６を表示し、「右打ちせよ！」という案内を文字７７で表示し、発射動作において発射の手順を表示する。遊技者は、この発射動作に係る情報７４，７５，７６，７７に従って発射動作を行うことで、この特定の入賞口３Ｂに遊技球を入賞させ易くなるという利益を受けることができる。
【００２６】
また、図１０及び図１１に示すように、表示手段（表示パネル）７の前後に保護板６Ａ，６Ｂを配設し、表示パネル７及び前後の保護板６Ａ，６Ｂを保持部材１１Ａ，１１Ｂ，１１Ｃ，１１Ｄで保持して表示ユニット１２をつくり、この表示ユニット１２を遊技盤１側の保持部材１０によって保持させるようにしてもよい。
【図面の簡単な説明】
【００２７】
【図１】本発明の一実施形態に係るパチンコ遊技機の要部分解斜視図である。
【図２】同要部の正面図である。
【図３】同要部の一部の断面図である。
【図４】ガラス枠に表示手段を組み付ける方法を説明するための斜視図である。
【図５】ガラス枠に表示手段を組み付ける方法を説明するための斜視図である。
【図６】他の実施形態に係るパチンコ遊技機の要部の正面図である。
【図７】同要部の分解斜視図である。
【図８】さらに他の実施形態に係るパチンコ遊技機の要部の正面図である。
【図９】同要部の分解斜視図である。
【図１０】さらに他の実施形態に係るパチンコ遊技機の要部分解斜視図である。
【図１１】同パチンコ遊技機における表示ユニットの組付説明図である。
【符号の説明】
【００２８】
１    遊技盤
４    遊技領域
５    遊技領域（従来の表示領域）
６Ａ    透明保護板
７    表示手段
１０    保持部材（ガラス枠）
７１〜７７    発射動作に係る情報
１００    遊技球
【図１】
2005198888.tif 000003
【図２】
2005198888.tif 000004
【図３】
2005198888.tif 000005
【図４】
2005198888.tif 000006
【図５】
2005198888.tif 000007
【図６】
2005198888.tif 000008
【図７】
2005198888.tif 000009
【図８】
2005198888.tif 000010
【図９】
2005198888.tif 000011
【図１０】
2005198888.tif 000012
【図１１】
2005198888.tif 000013